(57)【特許請求の範囲】
【請求項１】
光源からの測定光束を被検レンズに入射させると共に、該被検レンズを透過した後の測定光束の変位量を受光センサにより検出する多孔絞板を有する測定光学系と、この測定光学系による検出結果に基づいて前記被検レンズの各位置における屈折特性を演算制御手段により求め、この求めた屈折特性に基づいて前記被検レンズの遠用部、該遠用部に連続する累進部及び近用部とからなる領域とこれ以外の領域に存在する歪み領域との境目である一対の境界線を求め、前記一対の境界線を表示装置に表示させると共に、前記演算制御手段は、前記検出結果に基づいて前記累進部、近用部の球面度数分布を求めると共に前記画像処理手段を制御して、前記球面度数分布の等度数線を一対の境界線で挟まれた領域にのみ前記累進部、近用部に前記境界線と共に表示させることを特徴とするレンズメーター。
【請求項２】
前記演算制御手段は、前記被検レンズの外形形状を前記球面度数分布の等度数線及び前記境界線と共に重ねて表示させることを特徴とする請求項１に記載のレンズメーター。
【請求項３】
前記演算制御手段は、前記受光センサからの出力を基に前記被検レンズの外形形状を求めて、前記球面度数分布の等度数線及び前記境界線と共に重ねて表示させる様に設定されていることを特徴とする請求項２に記載のレンズメーター。
【請求項４】
前記演算制御手段は、前記境界線内の各位置の円柱屈折特性値から前記遠用部の円柱屈折特性値を減算した値から前記境界線を求めることを特徴とする請求項１に記載のレンズメーター。
【請求項５】
前記円柱屈折特性値は遠用部の円柱度数と円柱軸に基づいて求められることを特徴とする請求項４に記載のレンズメーター。
【請求項６】
前記受光センサは少なくとも前記被検レンズの累進部及びその周辺部からの光束を受光可能な幅に設定されていることを特徴とする請求項１〜５のいずれか１項に記載のレンズメーター。
【発明の詳細な説明】
【０００１】
【産業上の利用分野】
この発明は、被検レンズの各位置の屈折特性値を測定して、この得られた屈折特性値から屈折状態図を被検レンズの外径と共に画像表示させる様にしたレンズメーターに関するものである。
【０００２】
【従来の技術】
従来のレンズメーターとしては、光源からの測定光束を被検レンズに入射させると共に、被検レンズを透過した後の測定光束の変位量を受光センサにより検出し、この検出結果に基づいて被検レンズの各位置における屈折特性を演算制御手段により求め、この求めた屈折特性に基づいて、被検レンズの球面度数や円柱度数等の屈折特性を求めるようにしたものが一般的である。
【０００３】
しかし、近年、眼鏡レンズとしては、累進多焦点レンズ，遠用非球面レンズ等が広く普及しつつある。この様な眼鏡レンズでは球面度数や円柱度数等の屈折特性が球面レンズの様に一様ではないために、眼鏡レンズ（被検レンズ）の各部の屈折特性を従来のレンズメーターで正確に測定することはできないものであった。
【０００４】
しかし、この様な眼鏡レンズの屈折測定を行わせるレンズメーターが開発されている（特願平７−１８９２８９号を参照）。このレンズメーターでは、光源部，二次元的に配列された多数の測定光束を形成する光学部材としてのマイクロレンズアレイ，エリアＣＣＤ（固体撮像素子）等の二次元センサをこの順に設けて、光源部からの光束をマイクロレンズアレイを透過させて多数の測定光束とした後、この多数の測定光束を眼鏡レンズ（被検レンズ）を透過させた後に二次元センサで受光させ、この二次元センサからの出力（測定データ）を演算制御回路で処理することにより、１個の光源でかつ低コストで機械的駆動部を必要とせずしかも被検レンズの面の各位置の度数分布を短時間で測定できる様にしてる。
【０００５】
このレンズメーターでは、例えば累進多焦点レンズ等の眼鏡レンズの屈折特性を測定した場合、図示を略す球面度数の等度数分布線による画像表示ができると共に、図１４に示した様な円柱度数の等度数分布線（ａ１,ａ２,…,ａi）、（ａ１’,ａ２’,…,ａi’）を表示することができる。
【０００６】
【発明が解決しようとする課題】
しかし、従来は、球面度数や円柱度数の屈折特性の画像表示をそれぞれ個々に行っていたため、遠用部や近用部及び累進部等の位置関係や屈折特性を簡易に知ることができないものであった。
【０００７】
また、被検レンズは球面度数が大きくなるに従って全体的に厚くなる傾向にある。このため、被検レンズの球面度数が大きい場合には、累進部における曲率変化も大きくなって、累進部の円柱度数が大きくなる傾向にあるし、又、遠用部に強度の乱視がある場合には遠用部と他の部分の円柱度数と差が小さくなる傾向にある。これらの場合には、被検レンズの円柱度数の等度数分布を求めても、図１５に示した様に、図１４に示した累進部の両側の等度数分布線（ａ１,ａ２,…ａi）、（ａ１’,ａ２’,…ａi’）が特にａi,ａi’の付近で図１５に示した様に左右に連続した等度数分布線（ａ１,ａ２,…ａi”）、（ａ１’,ａ２’,…ａi”）になってしまう傾向にあり、図示を略す球面度数による表示であるのか図１４、図１５に示す円柱度数による表示であるのかの区別がしにくいものであった。
【０００８】
そこで、この発明の第１の目的は、累進部の位置や形状及びその累進部の屈折特性の変化を画像表示から容易に知ることのできるレンズメーターを提供することにある。
【０００９】
また、この発明の第２の目的は、被検レンズが厚く、円柱度数が大きい場合であっても、遠用部の乱視度が大きい場合であっても、累進部，近用部の位置や形状及びその累進部の屈折特性の変化を画像表示から容易に知ることのできるレンズメーターを提供することにある。
【００１０】
【課題を解決するための手段】
請求項１に記載の発明は、光源からの測定光束を被検レンズに入射させると共に、該被検レンズを透過した後の測定光束の変位量を受光センサにより検出する多孔絞板を有する測定光学系と、この測定光学系による検出結果に基づいて前記被検レンズの各位置における屈折特性を演算制御手段により求め、この求めた屈折特性に基づいて前記被検レンズの遠用部、該遠用部に連続する累進部及び近用部とからなる領域とこれ以外の領域に存在する歪み領域との境目である一対の境界線を求め、前記一対の境界線を表示装置に表示させると共に、前記演算制御手段は、前記検出結果に基づいて前記累進部、近用部の球面度数分布を求めると共に前記画像処理手段を制御して、前記球面度数分布の等度数線を一対の境界線で挟まれた領域にのみ前記累進部、近用部に前記境界線と共に表示させることを特徴とする。
【００１１】
請求項２に記載の発明は、 前記演算制御手段は、前記被検レンズの外形形状を前記球面度数分布の等度数線及び前記境界線と共に重ねて表示させることを特徴とする。
【００１２】
請求項３に記載の発明は、前記演算制御手段は、前記受光センサからの出力を基に前記被検レンズの外形形状を求めて、前記球面度数分布の等度数線及び前記境界線と共に重ねて表示させる様に設定されていることを特徴とする。
【００１３】
請求項４の発明は、前記演算制御手段は、前記境界線内の各位置の円柱屈折特性値から前記遠用部の円柱屈折特性値を減算した値から前記境界線を求めることを特徴とする。
【００１４】
請求項５に記載の発明は、前記円柱屈折特性値は遠用部の円柱度数と円柱軸に基づいて求められることを特徴とする。
【００１５】
請求項６の発明は、前記受光センサは少なくとも前記被検レンズの累進部及びその周辺部からの光束を受光可能な幅に設定されていることを特徴とする。
【００１７】
【発明の実施の形態】
以下、この発明の実施の形態を図面に基づいて説明する。
【００１８】
図２において、１は本発明にかかるレンズメータ、２はレンズメータ１の本体、３は本体２の上部に設けられたＣＲＴ又は液晶ディスプレイ等の表示装置、３ａは表示装置３の表示画面、４は本体２の前側面に設けられた上光学部品収納部、５は上光学部品収納部の下方に位置させて本体２の前側面に設けられた下光学部品収納部、６は光学部品下収納部６の上端に設けられたレンズ受テーブルである。
【００１９】
また、７は収納部５，６間に位置させて本体２の正面に前後移動調整可能に保持されたレンズ当、８は本体２の側部に前後回動可能に保持されたレンズ当操作用のレバーで、このレバー８の前後回動によりレンズ当７が前後移動調整させられるようになっている。このレンズ当７の前後方向（Ｙ方向）の移動位置は、図示しないポテンショメータで測定される。
【００２０】
そして、このレンズ当７の上縁部にはスライダ９ａが左右動自在に保持され、このスライダ９ａには鼻当支持部材９が上下回動可能に保持されている。このスライダ９ａの左右方向（Ｘ方向）への位置も図しないポテンショメータで測定されるようになっている。また、鼻当支持部材９は、図示しないスプリングで上方にバネ付勢されていると共に水平位置で上方への回動が規制されるようになっている。尚、１０はモード切換用のスイッチ、１１は測定開始スイッチである。
【００２１】
このレンズ受テーブル６には図１に示したように大径で段付の取付孔１２が形成され、この取付孔１２には光案内部（光透過部）としてのレンズ受１３が取り付けられている。このレンズ受１３は、透明ガラスや透明樹脂等からなる平板状の透明板１３ａと、この透明板１３ａの中央部上に突設されたレンズ支持用（レンズ受用）突部１３ｂ（距離特定手段）から構成されている。
【００２２】
この突部１３ｂ上には、図２に示した様な、円形の被加工レンズＭＬすなわち未加工レンズ（生地レンズ）や被加工レンズを眼鏡レンズ形状に研削加工した眼鏡レンズ、或は図５に示した様な眼鏡（メガネ）Ｍの眼鏡枠（レンズ枠）ＬＦに枠入れされた眼鏡レンズＳＬ等の被検レンズＬを載置する。この枠入れされた眼鏡レンズを突部１３上に載置する場合には、図５に示した様に、眼鏡枠ＭＬの鼻当Ｂを鼻当支持部材９に係合させた後、鼻当支持部材９をスライダ８を介して左右に移動させると共に下方に変位させて、眼鏡レンズＳＬを突部１３ａ上に支持させる（当接させる）様にする。
【００２３】
この様なレンズメーター１の本体２には、図１に示した測定光学系が設けられている。この測定光学系は照明光学系２０と、受光光学系３０を有する。この照明光学系２０は光源２１，絞り２２，コリメータレンズ２３，反射ミラー２４等の光学部品をこの順に有する。
【００２４】
また、受光光学系３０はピンホール板としての多孔絞板（多数平行測定光束生成手段）３１，スクリーン３２，リレーレンズ３３，テレビカメラ３４等の光学部品をこの順に有する。そして、照明光学系２０は上光学部品収納部５に一部が配設され、受光光学系３０は一部が下光学部品収納部６内に配設されている。
【００２５】
図１中，３４ａはテレビカメラ３４のエリアＣＣＤ（二次元ＣＣＤ）即ち二次元受光センサである。このエリアＣＣＤ３４ａは、図４に示した様に、左右の幅が狭く縦長のサイズａmm×ｂmmのサイズに形成されていて、被検レンズＬの一部（後述の累進部及びその周辺部）のみを測定可能に設けられている。これにより、測定に要する時間を必要最小限に短縮できる。また、エリアＣＣＤ３４ａの縦横のサイズａmm×ｂmmは本実施例では５５mm×３５mmに設定されているが、このサイズａ×ｂは必ずしも５５mm×３５mmの数値に限定されるものではない。即ち、このサイズａmm×ｂmmは、被検レンズＬの全体の測定をせずに、後述する被検レンズＬの累進部を含むその周辺を測定できるサイズであればよい。
【００２６】
尚、本実施例では、多孔絞板３１の形状を正方形状に図示したが、必ずしもこれに限定されるものではない。即ち、エリアＣＣＤ３４ａと同様な形状に細長く形成してもよい。また、この場合、エリアＣＣＤ３４ａの寸法，形状は、上述したようにしてもよいし、正方形のものを用いてもよい。
【００２７】
しかも、多孔絞板３１は、図３に示した様に、二次元的に縦横に等ピッチで配列された多数の微小絞り孔３１ａを有する。この微小絞り孔３１ａは個数は例えば約１０００程度設けられる。尚、本実施例では、多数平行測定光束生成手段を多孔絞板３１としたが、必ずしもこれに限定されるものではない。例えば、図１２に示した様に、多数の縦スリット孔３５，横スリット孔３６を縦横に配列した多孔絞板３７を多孔絞板３１に代えて多数平行測定光束生成手段として用いていも良いし、図１３に示した様に多数の小レンズ３８ａを縦横に配列したマイクロレンズアレイ３８を多孔絞板３１に代えて多数平行測定光束生成手段として用いてもよい。
【００２８】
また、反射ミラー２４と多孔絞板３１との間には上述したレンズ受１３が配置されて、このレンズ受け１３の突部１３ｂ上には後述する被検レンズＬが載置（セット）される。
【００２９】
テレビカメラ３４の二次元ＣＣＤ３４ａの出力（検出結果）は演算制御回路（演算制御手段）３５に入力され、この演算制御回路３４からの出力は画像処理回路（画像処理手段）３６に入力される。この画像処理回路３６は、演算制御回路３５の演算結果に基づいて、モニターテレビや液晶表示装置等の表示装置（表示手段）８を制御して、表示装置３の画面３ａに被検レンズ（眼鏡レンズ）Ｌの外径（外径形状）や屈折特性状態図等を表示させる。
【００３０】
次に、この様な構成のレンズメーターの作用を説明する。
【００３１】
(1)．スクリーン３２への投影パターン
ａ．被検レンズＬがレンズ受１３上に配置されていない場合
上述の照明光学系２０においては、光源２１から出射された照明光束は、絞り２２を介してコリメーターレンズ２４まで案内されて、このコリメータレンズ２４により平行な測定光束とされ、反射ミラー２４を介してレンズ受１３側に反射案内される。
【００３２】
そして、この測定光束は、被検レンズＬがレンズ受１３に支持されていない状態では、レンズ受１３及び多孔絞板３１の各微小絞り孔３１ａを透過して、多数の微小絞り孔３１ａの投影像３１ａ´のパターンをスクリーン３２上に形成する。この際、多数の微小絞り孔３１ａを透過する光束は平行となるので、投影像３１ａ´のパターン及び投影像３１ａ´の大きさ形状は、図７(a)の如く、多数の微小絞り孔３１ａと同じになる。
【００３３】
ｂ．被検レンズＬがレンズ受１３上に配置されている場合
また、被検レンズＬがレンズ受１３に支持されている場合には、平行な測定光束が被検レンズＬで屈折させられた後に多孔絞板３１を透過して、多孔絞板３１に設けられた多数の微小絞り孔３１ａの投影像３１ａ´のパターンがスクリーン３２上に投影させられる。
【００３４】
この際、被検レンズＬが球面の凹レンズである場合には図７(b)に示した様に多孔絞板３１の微小絞り孔３１ａのパターンが拡大された状態でスクリーン３２の投影され、被検レンズＬが球面の凸レンズである場合には図７(c)に示した様に多孔絞板３１の微小絞り孔３１ａのパターンが縮小された状態でスクリーン３２の投影される。
【００３５】
また、被検レンズＬが累進多焦点レンズである場合には、多孔絞板３１の多数の微小絞り孔３１ａを透過した測定光束が複雑に屈折させられてスクリーン３２に投影される。
【００３６】
(2)．屈折特性測定
次に、円形の被加工レンズＭＬすなわち未加工レンズ（生地レンズ）や被加工レンズを眼鏡レンズ形状に研削加工した眼鏡レンズ等の被検レンズＬの屈折特性を測定する場合、被検レンズＬをレンズ受１３上に載置する。また、図５に示した様な眼鏡（メガネ）Ｍの眼鏡枠（レンズ枠）ＬＦに枠入れされた眼鏡レンズＳＬ等の被検レンズＬの光学特性を測定する場合には、眼鏡枠ＭＬの鼻当Ｂを鼻当支持部材９に係合させた後、鼻当支持部材９をスライダ８を介して左右に移動させると共に下方に変位させて、眼鏡レンズＳＬを突部１３ａ上に支持させる（当接させる）。
【００３７】
この状態で、測定開始スイッチ１１をONさせると、光源２１から出射された照明光束が絞り２２を介してコリメーターレンズ２４まで案内されて、このコリメータレンズ２４により平行な測定光束とされ、反射ミラー２４を介してレンズ受１３上の被検レンズＬに投影される。そして、この平行な測定光束が被検レンズＬで屈折させられた後に多孔絞板３１を透過して、多孔絞板３１に設けられた多数の微小絞り孔３１ａの投影像３１ａ´のパターンがスクリーン３２上に投影させられる。
【００３８】
この様にしてスクリーン３２に投影された測定光束のパターンからの光束はリレーレンズ３３を介してテレビカメラ３４に入射し、即ちスクリーン３２上の測定光束のパターンはリレーレンズ３３を介してテレビカメラ３４で撮像される。そして、このテレビカメラ３４のエリアＣＣＤ３４ａからはスクリーン３２に投影された多数の微小絞り孔３１ａの像の映像信号が出力されて、この出力された映像信号は演算制御回路３５に入力される。
【００３９】
この演算制御回路３５は、テレビカメラ３４のエリアＣＣＤ３４ａからの映像信号を基に、平行な測定光束が被検レンズＬの屈折作用により多孔絞板３１の微小絞り孔３１ａのパターンをスクリーン３２上にどの様なパターンに投影させているか、即ち、投影像３１ａ´の投影パターンは多孔絞板３１のものと比較してどの様に変化しているか、又、そのサイズはどの様になっているか等を求めることができる。
【００４０】
また、スクリーン３２上に投影された各微小絞り孔３１ａの投影形状や大きさ、即ち、投影像３１ａ´の形状や大きさは被検レンズＬの各部の屈折特性に応じて異なり、その投影形状のサイズによって屈折力すなわち屈折度数（屈折特性）を知ることができ、又、その投影形状が単にサイズのみの変化である場合には円柱軸はなく、その投影形状が楕円である場合には長軸方向に円柱軸がある等の屈折特性を知ることができる。
【００４１】
従って、この様な条件を考慮して演算制御回路３５は、テレビカメラ３４のエリアＣＣＤ３４ａからの映像信号を基に、各微小絞り孔３１ａの大きさや形状が被検レンズＬの屈折作用によりどの様に変化させられているかを求めて、被検レンズＬの各部（各位置）の屈折度や円柱軸の向き等をも求める。
【００４２】
しかも、演算制御回路３５は、この様にして求めた被検レンズＬの各部（各位置）の円柱軸の向きやその円柱度数から等度数の部分を求めて、画像処理回路３６により図９(b)に示した様な円柱軸の等度数線（ａ１，ａ２，……ａｉ，…ａｎ），（ａ１´，ａ２´，……ａｉ´，…ａｎ）の分布を表示装置３の画面３ａに表示させることができる。
【００４３】
また、演算制御回路３５は、スクリーン３２上に投影された各微小絞り孔３１ａの投影形状のサイズによって屈折力を求め、被検レンズＬの各部（各位置）の球面度数の等同数の分布を求め、画像処理回路３６により図９(c)に示した様な球面度数の等度数線（ｄ１，ｄ２，………ｄｉ）の分布を表示装置３の画面３ａに表示させることができる。
【００４４】
更に、演算制御回路３５は、上述の様にして求めた円柱軸の等度数線分布から、図９（ｄ）に示した様な、被検レンズＬの遠用部４０及び遠用部４０に連続する累進部４１と累進部４１の左右の側方領域４２,４３との境とする境界線４４,４５を求め、即ち、等度数線の内ａi,ａi’のみを境界線として残すことにより、この境界線４４,４５と被検レンズＬの外形（外形形状）Ｌａを画像処理回路３６を介して表示装置３の画面３ａに重ねて表示させることができる。尚、図中、４０’は遠用部４０の遠用測定部を示し、４１’は近用測定部を示し、この近用測定部４１’の周囲が近用部となる。ここで、上述の境界線４４,４５は次のようにして求められる。
【００４５】
即ち、演算制御回路３５は、境界線ａｉ，ａｉ´内の各位置の円柱屈折特性値から遠用部４０の円柱屈折特性値を減算し、この減算した屈折特性値が例えば０．２５の値の部分を境界線４４，４５としている。この際、円柱屈折特性値は円柱度数と円柱軸の傾斜角度を考慮して求められる。
【００４６】
ここでは、説明の便宜上、被検レンズＬの円柱度数が全体的に高い場合の図１０(a)〜(c)を用いて説明する。この図１０(a)の境界線ａｉ´´内の各位置（Ｓ１，Ｓ２，……Ｓｉ……Ｓｎ）の円柱軸５０の角度を図１０(c)の様にθsi、位置Ｓｉ（ｉ＝０，１，２………ｎ）における円柱度数をＣｓ、遠用部４０の等度数線ａｎ´´の円柱軸５１の角度をθa、この円柱軸５１の部分の円柱度数をＣaとすると、円柱屈折特性値Ｃは、
Ｃ＝√Cs・sin(2θsi)−Ca・sin(2θa)＋Cs・cos(2θsi)−Ca・cos(2θa)…(a)
として求めることができる。被検レンズＬの円柱度数が比較的小さい場合には、Ｃa・cos（θa）は非常に小さく略ゼロに等しいか、或は比較的小さいので「０」とみても差し支えない場合がほとんどである。従って、この場合には、円柱屈折特性値ＣはＣｓ・cos（θsi）によって決定され、円柱屈折特性値Ｃ＝Ｃｓ・cos（θsi）＝０．２５の部分が境界線４４，４５となる。
【００４７】
また、演算制御回路３５は、図９(d)の画像と図９(c)の画像を重ねた場合において、球面度数の等度数線分布の側方領域４２，４３内に位置する破線部分を除くことにより、図９(a)に示した様に、球面度数分布の等度数線分布を累進部４１に被検レンズＬの外径及び境界線４４，４５と共に重ねて表示させる。この図９(a)に示した様な画像Ｇは、図１，図２，図８(a)，(b)に示した様に表示装置３の画面３ａに表示される。これにより、眼鏡装用者が視認に際して実際に使用する領域である遠用部４０，累進部４１の位置及びその球面度数の変化を視覚的に容易に知ることができる。
【００４８】
更に、演算制御回路３５は、図６(a)に示した様に、測定により得られた画像Ｇをデータ処理により反転させた画像Ｇ´として、「正」状態の画像Ｇと反転画像Ｇ´とを画面３ａに表示させると共に、眼鏡の左右の眼鏡レンズ（メガネレンズ）の「Ｒ」，「Ｌ」の屈折特性値Ｓ，Ｃ，Ａすなわち球面度数Ｓ，円柱度数Ｃ，円柱軸角度Ａ、加入度数ＡＤＤ等を同時に表示することができる。
【００４９】
この様な表示は、メガネ（眼鏡）の左又は右のメガネレンズ（眼鏡レンズ）の一方が破損したために、破損した方のメガネレンズを新たに作る場合に有利である。この場合、先ず、破損していない方のメガネレンズ「Ｒ」又は「Ｌ」の屈折特性を測定して、図６(a)に示した「Ｒ」，「Ｌ」の部分に「Ｒ」又は「Ｌ」の一方の屈折特性を表示させると共にその屈折特性画像Ｇ，Ｇ´の一方を表示させ（本実施例では「Ｒ」）る。この際に得られたデータからメーカと製品番号を検索等により特定して、他方のレンズ用の未加工レンズ（被加工レンズ）を選択し、この選択した未加工レンズの屈折特性を上述と同様にして測定する。そして、この測定により得られる屈折特性画像を反転処理して画面３ａに表示させることにより、他方の未加工レンズの累進部等の傾斜方向を破損していない方のメガネレンズの屈折特性画像の累進部の傾斜方向と同じ向きの状態にして、左右の眼鏡レンズの累進部の延びる方向（累進部の傾斜）、即ち遠用測定部と近用測定部とを結ぶ線の傾斜が適切であるか否か（バランスがとれているか否か）を容易に判断できるようにする。
【００５０】
また、上述の様にメガネ（眼鏡）の左又は右のメガネレンズ（眼鏡レンズ）の一方が破損した場合、破損していない方のメガネレンズ「Ｒ」又は「Ｌ」の屈折特性を測定して、図６に示した「Ｒ」，「Ｌ」の部分に「Ｒ」又は「Ｌ」の一方の屈折特性を表示させると共にその屈折特性画像Ｇ，Ｇ´の一方を表示させ、他方の屈折特性及び屈折特性画像を画像処理により図６(b)の様に反転させて画面３ａに表示させる。そして、この反転処理により得られたデータを基に、メーカと製品番号を検索等により特定すると共に、検索加工する際の累進部の傾斜等のデータにすることができる。そして、このデータに基づいて加工したメガネレンズをメガネフレームに枠入れ前或は枠入れ後に屈折特性を測定して、その屈折特性値と屈折特性画像を画面３ａに表示させると共に、破損していない方のメガネレンズの屈折特性と屈折特性画像を表示させることにより、左右の眼鏡レンズの累進部の延びる方向（累進部の傾斜）、即ち遠用測定部と近用測定部とを結ぶ線の傾斜が適切であるか否か（バランスがとれているか否か）を容易に判断できる。
【００５１】
尚、図６(a)，(b)では、「正」状態の画像Ｇと「反」状態の画像Ｇ´を画面３ａに上下に位置させて表示させているが、「正」状態の画像Ｇと「反」の状態の画像Ｇ´を図６(c)の如く左右に位置させて画面３ａ表示させることにより、より現実の眼鏡レンズの配置に近付けて、累進部の傾斜の適否をより容易に確認できるようにしてもよい。
【００５２】
また、例えば、左用のレンズ形状に研削加工された被検レンズと右用のレンズ形状に研削加工された被検レンズの屈折特性をそれぞれ測定すると共に、画面３ａの表示の「Ｌ」と「Ｒ」に左右の被検レンズの屈折特性を図６の如くそれぞれ表示させ、「正」に被検レンズ「Ｌ」の屈折特性画像Ｇを表示させ、「反」に被検レンズ「Ｒ」の屈折特性画像Ｇ´を表示させるようにしてもよい。この場合には、左右の眼鏡レンズの累進部４１の延びる方向（累進部の傾斜）、即ち遠用測定部４０´と近用測定部４１´とを結ぶ線の傾斜が適切か否かを容易に判断できる。
【００５３】
更に、図６(c)の表示によれば、顧客の累進部を有する眼鏡の屈折特性を測定した場合、左右の眼鏡レンズの屈折特性画像を左右に表示できることになるので、左右の眼鏡レンズの屈折特性画像の比較も容易となる。この場合には、左右の眼鏡レンズの屈折特性画像はいずれも測定した画像そのままであるので、Ｌ「正」，Ｒ「正」の表示をさせて、このＬ「正」，Ｒ「正」の表示に対応させて左右の眼鏡レンズの屈折特性画像が表示させると共に、その下方に左右の眼鏡レンズの屈折特性値が表示させる様にする。
【００５４】
この場合、図１１(a)に示した様に、図９(a)の画像と共に、遠用点から累進部４１及び近用部の加入度をも並列的に表示装置３の画面３ａに表示させるようにするモードも設ける。また、図９(a)に示した画像の遠用部４０，累進部４１，近用部（近用測定部４１´を含む周囲の部分）等に各部の円柱軸の向きを示す円柱軸線を表示させるモードも設ける。図１１(b)は、このモードにより円柱軸線４６を遠用部４０，累進部４１，近用部（近用測定部４１´を含む周囲の部分）に重ねて表示させた例を示したものである。尚、加入度は、累進部のデイオプター（焦点距離の逆数）から遠用部のデイオプターを減算した値をいう。この場合には、遠用部４０，累進部４１の位置及びその球面度数の変化を更に容易に知ることができる。
【００５５】
この様な図９(a)〜(d)の画像表示切り換えは、モード切換用のスイッチ１０を操作することにより実行できる。
【００５６】
ところで、被検レンズＬは球面度数が大きくなるに従って全体的に厚くなる傾向にある。このため、被検レンズＬの球面度数が大きい場合には、累進部４１における曲率変化も大きくなって、累進部４１の円柱度数が大きくなる傾向にある。この場合には、被検レンズＬの円柱度数の等度数分布を求めても、図９(b)に示した累進部４１の両側の等度数分布線（ａ１，ａ２……ａｉ）、（ａ１´，ａ２´，……ａｉ´）が特にａｉ，ａｉ´の付近で図９(b)に示した様に左右に連続した等度数分布線（ａ１´´，ａ２´´，……ａｉ´´……ａｎ´´）になってしまうために、図９(b)に示した様な累進部４１の左右の側方領域４２，４３との区別を出すための境界線４４，４５を求めるのが難しいものであった。
【００５７】
従って、この場合にも、演算制御回路３５は、境界線ａｉ´´内（図１０(a)では略下半分）の各位置の円柱屈折特性値から遠用部４０の円柱屈折特性値を減算し、この減算した屈折特性値が０．２５となる部分を境界線４４，４５として求める。この際、円柱屈折特性値は円柱度数と円柱軸の傾斜角度を考慮して求められる。
【００５８】
即ち、円柱屈折特性値Ｃは、上述した(a)式、
Ｃ＝√Cs・sin(2θsi)−Ca・sin(2θa)＋Cs・cos(2θsi)−Ca・cos(2θa)
から求めることができる。そして、この求めた円柱屈折特性値Ｃに基づいて、再度、円柱度数分布の等度数線分布を求めることにより図１０(b)に示した様に図９(d)と同様な画像を得ることができる。そして、境界線４４，４５は、円柱屈折特性値Ｃが例えば０．２５、即ちＣが、
Ｃ＝√Cs・sin(2θsi)−Ca・sin(2θa)＋Cs・cos(2θsi)−Ca・cos(2θa)＝0.25
となる部分を線で結んで結ぶことにより得られる。
【００５９】
以上説明した実施例では、テレビカメラ３４のエリアＣＣＤ３４ａは未加工レンズ（被加工レンズ）や眼鏡レンズ等の被検レンズＬの一部の形状（即ち累進部４１及びその周辺）及び屈折特性値を測定可能としたが、必ずしもこれに限定されるものではなく、被検レンズＬ全体の屈折特性を測定してもよい。
【００６０】
【効果】
以上説明したように、この目的を達成するために、請求項１の発明は、光源からの測定光束を被検レンズに入射させると共に、該被検レンズを透過した後の測定光束の変位量を受光センサにより検出し、この検出結果に基づいて前記被検レンズの各位置における屈折特性を演算制御手段により求め、この求めた屈折特性に基づいて前記被検レンズの遠用部，該遠用部に連続する累進部及び近用部とそれ以外の歪み領域との境界線を表示装置に表示させると共に、前記演算制御手段は、前記検出結果に基づいて前記累進部，近用部の球面度数分布を求めると共に前記画像処理手段を制御して、前記球面度数分布の等度数線を前記累進部，近用部に前記境界線と共に重ねて表示させる構成としたので、累進部の位置や形状及びその累進部の屈折特性の変化を画像表示から容易に知ることができる。しかも、この累進部や遠用部と側方領域との境界線は各被検レンズ毎に微妙に異なっても、その境界線及び累進部の球面度数分布を正確に求めて表示することができるので、測定した被検レンズが処方通りのものであるか否かを因り正確かつ簡易に視覚的に知ることができる。
【００６１】
請求項２の発明は、前記演算制御手段は、前記被検レンズの外径を前記球面度数分布の等度数線及び前記境界線と共に重ねて表示させる構成としたので、被検レンズが周縁部を眼鏡レンズに加工済みのものである場合や、眼鏡フレーム（メガネフレーム）のレンズ枠に枠いれされたものである場合には、実際に使用される眼鏡レンズの累進部や球面度数分布を容易かつ簡易に知ることができる。
【００６２】
請求項３の発明は、前記演算制御手段は、前記受光センサからの出力を基に前記被検レンズの外径を求めて、前記球面度数分布の等度数線及び前記境界線と共に重ねて表示させる様に設定されている構成としたので、未加工レンズはもとより周縁部を眼鏡レンズ形状に研削加工された眼鏡レンズでも、レンズ形状を予め測定しておく必要がなく、その外径を屈折特性を測定する際に容易に求めて表示装置に表示することができると共に、この様にして求めて表示した被検レンズの外径と球面度数線や累進部及び境界線等の位置とを正確に表示することができる。
【００６３】
請求項４の発明は、前記演算制御手段は、前記境界線内の各位置の円柱屈折特性値から前記遠用部の円柱屈折特性値を減算した値から前記境界線を求める構成としたので、被検レンズが厚く、累進部の円柱度数が大きい場合であっても、累進部の位置や形状及びその累進部の屈折特性の変化を画像表示から容易に知ることのできる。
【００６４】
請求項５の発明は、前記円柱屈折特性値は遠用部の円柱度数と円柱軸を考慮して求められる構成としたので、被検レンズが厚く、累進部の円柱度数が大きい場合であっても、累進部の位置や形状及びその累進部の屈折特性の変化を画像表示から容易に知ることのできる。
【００６５】
請求項６の発明は、前記受光センサは少なくとも前記被検レンズの累進部及びその周辺部からの光束を受光可能な幅に設定されている構成としたので、累進部及び遠用部と累進部の側方領域との境界線および球面度数分布線を被検レンズ全体について求める場合と比較して必要最小限の時間で求めることができ、必要な情報を迅速に求めることができる。
【図面の簡単な説明】
【図１】この発明にかかるレンズメーターの光学系の説明図である。
【図２】図１に示した光学系を備えるレンズメーターの概略斜視図である。
【図３】図１に示した多孔絞板の説明図である。
【図４】図１に示したテレビカメラのエリアＣＣＤの説明図である。
【図５】眼鏡枠に枠入れされた眼鏡レンズの屈折特性を図２に示したレンズメーターにより測定している状態を示す斜視図である。
【図６】(a)，(b)，(c)は、図２に示したレンズメーターの表示画面の他の表示例を示す説明図である。
【図７】(a)，(b)，(c)は、図１に示した多孔絞板の投影パターンの説明図である。
【図８】(a)は未加工レンズ（被加工レンズ）の屈折特性の表示例の説明図、(b)は眼鏡枠に枠入れされた眼鏡レンズの屈折特性の表示例の説明図である。
【図９】(a)〜(e)は演算制御回路及び画像処理回路により得られる被検レンズの屈折特性画像の説明図である。
【図１０】(a)は被検レンズの円柱度数が全体的に高い場合に得られる円柱度数分布の説明図、(b)は(a)の円柱度数を演算処理により処理した後に得られた遠用部や累進部等を示す画像の説明図、(c)は(a)における円柱軸の角度の説明図である。
【図１１】(a)は演算制御回路及び画像処理回路により得られる被検レンズの屈折特性画像の説明図、(b)は(a)に示した被検レンズの屈折特性画像の他の表示例を示す説明図である。
【図１２】多数平行測定光束生成手段の他の例を示す平面図である。
【図１３】多数平行測定光束生成手段の他の例を示す平面図である。
【図１４】被検レンズの円柱度数が普通の場合の円柱度数分布の説明図である。
【図１５】被検レンズの円柱度数が全体的に高い場合の円柱度数分布の説明図である。
【符号の説明】
８…表示装置
２１…光源
３４…テレビカメラ（受光センサ）
３５…演算制御回路（演算制御手段）
３６…画像処理回路（画像処理手段）
４０…遠用部
４１…累進部
４４,４５…境界線
（ｄ１,ｄ２,…,ｄi）…等度数線
Ｌ…被検レンズ
【図１】
0003647991.tif 000002
【図２】
0003647991.tif 000003
【図３】
0003647991.tif 000004
【図４】
0003647991.tif 000005
【図５】
0003647991.tif 000006
【図６】
0003647991.tif 000007
【図７】
0003647991.tif 000008
【図８】
0003647991.tif 000009
【図９】
0003647991.tif 000010
【図１０】
0003647991.tif 000011
【図１１】
0003647991.tif 000012
【図１２】
0003647991.tif 000013
【図１３】
0003647991.tif 000014
【図１４】
0003647991.tif 000015
【図１５】
0003647991.tif 000016